(57)【特許請求の範囲】
【請求項１】
鏡の反射膜に透過性を持たせることで、外光を反射させ、内部の発光を透過させるハーフミラーが実装された筐体を有する携帯端末装置であって、
前記筐体は、
前記ハーフミラー内側に、所定の位置に配列されて、各々が所定の１つの文字パターンのみを表示するために発光する複数の文字発光手段と、
前記複数の文字発光手段ごとの点灯を制御することにより、前記１つの文字パターンの表示・非表示を切り換えて、複数のイベントごとの種別を示す単語を表示して前記イベントごとの報知を行う制御手段と、を備え、
前記制御手段は、
複数の前記単語をそれぞれ表示する場合、複数の前記単語間の共通の文字については、同一の前記文字発光手段を点灯させて表示する
ことを特徴とする携帯端末装置。
【発明の詳細な説明】
【技術分野】
【０００１】
本発明は、鏡の反射膜に透過性を持たせることで、外光を反射させ、内部の発光を透過させるハーフミラーが実装された筐体を有する携帯端末装置に関するものである。
【背景技術】
【０００２】
最近の市場に流通している携帯電話は、メール受信、着信、アラーム等のイベントが発生した場合、液晶表示画面や有機ＥＬ（Electro-Luminescence）パネル、あるいは音（バイブを含む）や光等により認識出来るものがほとんどである。
【０００３】
しかしながら、ユーザが携帯電話の画面表示内容、音や光等の詳細情報を熟知したうえで全てを認識できるものであり、したがってユーザがそれら詳細情報を忘れた状態では、相手からの着信なのかメール受信なのか、あるいはアラームなのかを知る術がない。
【０００４】
上記した問題を解決するために、従来、ある条件下では鏡のように振る舞い、また、ある条件下ではガラスのように振舞うハーフミラーと、このハーフミラー内に実装され内部からの照明光となるＬＥＤ（Light Emitted Diode）とを利用して、着信やメール受信を絵記号や色変化等により報知する携帯電話機が知られている（例えば、特許文献１参照）。
【０００５】
また、ハーフミラー内に有機ＥＬを設け、この有機ＥＬに表示された文字が浮かび出る構成とし、非報知時にはシンプルな外観とすることのできる携帯端末装置も知られている（例えば、特許文献２参照）。
【特許文献１】特開２００２−０５１１３５号公報
【特許文献２】特開２００５−２１７６４１号公報
【発明の開示】
【発明が解決しようとする課題】
【０００６】
しかしながら上記した特許文献１に開示された技術によれば、誰の目にも認識可能な文字による表示ではなく、イベントの発生を絵記号や色で表示するにすぎないため、報知手段としては不親切である。
【０００７】
また、特許文献２に開示された技術によれば、上記した問題は解決するが、有機ＥＬの発光輝度には限界があり、ユーザへの通知能力が高くない。
【０００８】
本発明は、廉価構成で視認性の高いイベント報知を行うことのできる携帯端末装置を提供することを目的とする。
【課題を解決するための手段】
【０００９】
上記した課題を解決するために本発明の携帯端末装置は、鏡の反射膜に透過性を持たせることで、外光を反射させ、内部の発光を透過させるハーフミラーが実装された筐体を有する携帯端末装置であって、前記筐体は、前記ハーフミラー内側に、所定の位置に配列されて、各々が所定の１つの文字パターンのみを表示するために発光する複数の文字発光手段と、前記複数の文字発光手段ごとの点灯を制御することにより、前記１つの文字パターンの表示・非表示を切り換えて、複数のイベントごとの種別を示す単語を表示して前記イベントごとの報知を行う制御手段と、を備え、前記制御手段は、複数の前記単語をそれぞれ表示する場合、複数の前記単語間の共通の文字については、同一の前記文字発光手段を点灯させて表示する。
【発明の効果】
【００１４】
本発明によれば、有機ＥＬを用いることなく廉価構成で視認性の高いイベント報知を行うことのできる携帯端末装置を提供することができる。
【発明を実施するための最良の形態】
【００１５】
図１は、本発明の実施の形態に係る携帯端末装置の内部構成を示すブロック図である。ここでは、携帯端末装置として携帯電話１が例示されている。
【００１６】
図１に示されるように、携帯電話１は、通信部１１と、操作部１２と、音声処理部１３と、スピーカ１４と、マイクロフォン１５と、メイン表示部１６と、サブ表示部１７と、記憶部１８と、制御部１９と、ＬＥＤ１７１とにより構成される。
【００１７】
通信部１１は、複数の通信システムを捕捉し、例えば、ＣＤＭＡ２０００ １ｘ（以下、単に１ｘという）やＥＶＤＯの通信プロトコルにしたがい、不図示の移動通信網に接続される基地局を含む網側装置との間で無線通信を行う。
なお、ＥＶＤＯ通信は、１ｘ通信よりも高速であり、１ｘ通信は、ＥＶＤＯ通信と異なり、データ通信の他に音声通信もサポートするといった特徴を有している。
【００１８】
操作部１２は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１９に入力する。
【００１９】
音声処理部１３は、スピーカ１４から出力される音声信号やマイクロフォン１５において入力される音声信号の処理を行う。
すなわち、音声処理部１３は、マイクロフォン１５から入力される音声を増幅し、アナログ−デジタル変換を行い、更に符号化等の信号処理を施し、デジタルの音声データに変換して制御部１９に出力する。
また、制御部１９から供給される音声データに復号化、デジタル−アナログ変換、増幅等の信号処理を施し、アナログの音声信号に変換してスピーカ１４に出力する。
【００２０】
メイン表示部１６は、例えば、液晶表示パネルや有機ＥＬ（Electro-Luminescence）パネルなどの表示デバイスを用いて構成されており、制御部１９から供給される映像信号に応じた画像を表示する。
具体的には、メイン表示部１６は、発信時における発信先の電話番号、着信時における着信相手の電話番号、受信メールや送信メールの他に、日付、時刻、電池残量といったピクト画像、更には待受け画像の表示も含まれる。また、図２は、折りたたみ式である携帯電話１を折りたたんだ状態を示しており、メイン表示部１６は、折りたたまれた際の内側となる側に設けられている。
【００２１】
サブ表示部１７は、ここでは有機ＥＬ等の表示デバイスを用いて構成されており、着信の有無、受信メールの有無に関する情報、時計、電池残量といったピクト画像が示される。
携帯電話１の外観構成が図２に示されるように、サブ表示部１７は、ハーフミラーパネル１０（ハーフミラー１７４）で覆われており、ハーフミラーパネル１０（ハーフミラー１７４）は、普段は、周りの景色が写りこむ、所謂「鏡」の状態であるが、着信時や時計表示を行わせると筐体内部に実装された有機ＥＬやＬＥＤ等の光源が光って浮き出て見える構成になっている。
【００２２】
ＬＥＤ１７１は、図３に示すようにサブ表示部１７としての有機ＥＬパネルに隣接して配されるＬＥＤ基板１７０上に実装される。図３は携帯電話１の分解図であり、筐体の一部であり、ハーフミラー１７４の設けられたケース片を取り外した状態を示している。有機ＥＬパネル（サブ表示部１７）が取り付けられるフレーム１００は、ＬＥＤ基板１７０上にまで延在された延在部を有しており、この延在部には８つのＬＥＤ窓部が形成される。８つのＬＥＤ１７１はＬＥＤ基板１７０に実装されてそれぞれＬＥＤ窓部内に収まることとなり、各ＬＥＤ１７１は、互いにＬＥＤ窓部の窓枠部材により互いの光の干渉が無い様になっている。また、フレーム１００の周縁部には固定孔部を有しており、メイン表示部１６（ＬＣＤなど）の背面の板金部材に折り立てられた爪部に固定孔部が係合されることによりフレーム１００の位置決めおよび固定が行われる。
【００２３】
また、図中、円内にＬＥＤ基板１７０近傍の断面構造が示されるように、ＬＥＤ基板１７０上に複数のＬＥＤ１７１（ＬＥＤ＃１〜ＬＥＤ＃８）が実装され、各ＬＥＤ１７１（ＬＥＤ＃１〜ＬＥＤ＃８）により発光された光は、透過部材１７２、および筐体文字枠１７３を介してハーフミラー１７４に導かれる構造になっている。
【００２４】
ハーフミラー１７４は、周知のように、鏡の反射膜に透過性を持たせることで、外光を反射し、内部の光源を透過できるようにしたものであり、ダイクロイックミラーとも呼ばれることがある。
なお、図２、図３に示す携帯電話１は、ＬＣＤフロントケース３０とキーフロントケース４０とがヒンジ機構５０を介して開閉自在に形成された折り畳み式筐体を示すものである。
【００２５】
また、筐体文字枠１７３は、携帯電話１の筐体背面に形成され、ここでは、図４に示されるように、「Ｃ」、「Ｂ」、「Ｅ」、「Ｌ」、「Ｍ」、「Ａ」、「Ｉ」、「Ｌ」の各文字がハーフミラー１７４上に浮かび出るようにスリット状にくりぬかれている。
すなわち、着信の場合は「ＣＡＬＬ」が、Ｅメールの場合は「ＥＭＡＩＬ」が、ＳＭＳ（Short Message Service）の場合は「ＣＭＡＩＬ」が、アラームの場合は「ＢＥＬＬ」が点灯可能なように８種類の筐体文字枠１７３が用意される。この筐体文字枠１７３の配列で特徴的なことは、「ＭＡＩＬ」と「ＣＡＬＬ」において文字「Ａ」と「Ｌ」を共用して共通のＬＥＤ１７１を用いることと、「ＭＡＩＬ」についてのみ左から右へと（上から下でもよい）読めることである。また、「ＭＡＩＬ」の文字Ｌに隣接して他の報知すべきイベントの単語の一つのＬが配列されている。
【００２６】
説明を図１に戻す。
記憶部１８は、制御部１９において処理に利用される各種のデータを記憶する。
記憶部１８は、例えば、制御部１９が実行するアプリケーションプログラム、通信相手の電話番号や電子メールアドレス等の個人情報を管理するアドレス帳、着信音やアラーム音を再生するための音声ファイル、各種の設定データ、プログラムの処理過程で利用される一時的なデータなどを保持する。
なお、上記した記憶部１８は、例えば、不揮発性の記憶デバイス（フラッシュメモリ）やランダムアクセス可能な記憶デバイス（ＳＲＡＭ、ＤＲＡＭ）等によって構成される。
【００２７】
制御部１９は、携帯電話の全体的な動作を統括的に制御する。すなわち、携帯電話の各種の処理（回線交換網を介して行われる音声通話、電子メールの作成と送受信、インターネットのＷｅｂ（World Wide Web）サイトの閲覧などの制御）が操作部１２の操作に応じて適切な手順で実行されるように、上述した各ブロックの動作（通信部１１における信号の送受信、音声処理部１３における音声の入出力、メイン表示部１６における画像の描画、表示など）を制御する。
【００２８】
制御部１９は、記憶部１８に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部１８に格納されるオペレーティングシステムやアプリケーションプログラム等のプログラムから命令コードを順次読み込んで処理を実行する。
【００２９】
制御部１９はまた、Ｅメール受信、着信、アラーム等のイベント発生を検知し、当該検知したイベントの種別（Ｅメール受信か、着信か、アラームか）により、文字発光手段としてのＬＥＤ１７１の発光パターンを点灯制御してイベントの報知を行う制御手段としても機能する。
このため、制御部１９は、図５にその内部構成が機能展開され示されているように、イベント検知部１９１と、イベント種別判定部１９２と、発光パターン制御部１９３と、応答監視部１９４と、発光パターン選択部１９５と、により構成される。
【００３０】
イベント検知部１９１は、着信、メール受信、アラーム等のイベント発生を検知してイベント種別判定部１９２に引き渡す。
【００３１】
イベント種別判定部１９２は、発生したイベントの種別を判定して発光パターン制御部１９３によるＬＥＤ１７１の点灯制御を起動する。
【００３２】
発光パターン制御部１９３は、イベント種別判定部１９２により判定されたイベントの種別にしたがい予め決められた発光パターンによる各ＬＥＤ１７１（ＬＥＤ＃１〜ＬＥＤ＃８）の点灯制御によりイベント報知を行う。
【００３３】
なお、発光パターンとして、報知すべきイベントを意味する単語を１文字ずつ順次発光させるパターンと、報知すべきイベントを意味する単語を特定する文字を同時あるいは多少の時間差を設けて共に発光させるパターンの２つが最低限用意されるものとする。詳細は、図８〜図１０に示す発光パターンを参照して後述する。
【００３４】
一方、応答監視部１９４は、発光パターン制御部１９３によるＬＥＤ１７１へのイベント報知後の操作部１２のキー操作（着信ボタン、メールボタン等）による応答監視を行う。この応答監視により、発光パターン制御部１９３は、ＬＥＤ点灯の継続、終了を制御することができる。
【００３５】
発光パターン選択部１９５は、発光パターンの選択をユーザに委ねるユーザインタフェースを提供するものであり、例えば、メイン表示部１６に予め用意した発光パターンの種類を表示してユーザに選択入力を促し、操作部１２によるユーザの選択入力操作により、選択されたパターンを記憶部に記憶し、発光パターン制御部１９３に該当の発光パターンによるＬＥＤ１７１の点灯制御を指示することができる。
【００３６】
図６は、本発明の実施の形態に係る携帯端末装置の着信待受け時の動作を示すフローチャートである。
以下、図６に示すフローチャートを参照しながら、図１〜図５に示す本発明の実施の形態に係る携帯端末装置の着信待受け時の動作について詳細に説明する。
【００３７】
まず、Ｅメール受信、着信、アラーム発生、ＳＭＳ受信等、ユーザに報知すべきイベントが発生したとする。このとき、制御部１９は、イベント検知部１９１がそれらイベントの発生を検知してイベント種別判定部１９２に引き渡す（ステップＳ４１）。
イベント種別判定部１９２は、発生したイベントの種類を図７のフローチャートで示す手順にしたがい判定して発光パターン制御部１９３に引き渡す（ステップＳ４２）。
【００３８】
イベント種別判定部１９２は、図７のフローチャートに示されるように、例えば、発生したイベントが、まず、Ｅメール受信か否かを判定し（ステップＳ４２１）、Ｅメール受信であれば（ステップＳ４２１“Ｙｅｓ”）、Ｅメール受信報知用に予め用意されたサブ表示部１７のＥＭＡＩＬの点灯を有効とする制御Ａを行い、Ｅメール受信でなければ（ステップＳ４２１“Ｙｅｓ”）、次に、発生したイベントが着信であるか否かを判定する（ステップＳ４２２）。
ここで、イベント種別判定部１９２は、発生したイベントが着信であれば（ステップＳ４２２“Ｙｅｓ”）、着信報知用に予め用意されたサブ表示部１７のＣＡＬＬの点灯を有効とする制御Ｂを行い、着信でなければ（ステップＳ４２２“Ｎｏ”）、発生したイベントがアラームであるか否かを判定する（ステップＳ４２３）。
【００３９】
ここで、イベント種別判定部１９２は、発生したイベントがアラームであれば（ステップＳ４２３“Ｙｅｓ”）、アラーム報知用に予め用意されたサブ表示部１７のＢＥＬＬの点灯を有効とする制御Ｃを行い、アラームでなければ（ステップＳ４２３“Ｙｅｓ”）、発生したイベントがＳＭＳ（ショートメッセージサービス）であるか否かを判定する（ステップＳ４２４）。
ここで、イベント種別判定部１９２は、発生したイベントがＳＭＳであれば（ステップＳ４２４“Ｙｅｓ”）、ＳＭＳ報知用に予め用意されたサブ表示部１７のＣＭＡＩＬの点灯を有効とする制御Ｄを行い、ＳＭＳでなければ（ステップＳ４２４“Ｎｏ”）待受け状態に移行する（ステップＳ４２５）。なお、イベントの判定順序は任意である。
【００４０】
説明を図６の待受け時のフローチャートに移す。
上記したように、イベント種別判定後（ステップＳ４２）、発光パターン制御部１９３は、そのイベント種別に基づく発光パターンの特定を行い（ステップＳ４３）、その発光パターンにしたがいサブ表示部１７のＬＥＤ１７１の点灯制御を行うことによりイベント報知を行う（ステップＳ４４）。
【００４１】
上記したサブ表示部１７へのイベント報知以降、応答監視部１９４は、操作部１２によるキー入力等の応答監視を行う。応答監視部１９４が応答を検知した場合（ステップＳ４５“Ｙｅｓ”）、発光パターン制御部１９３は、ＬＥＤ１７１の点灯制御を停止して待受け処理を終了する（ステップＳ４７）。
応答監視部１９４は、応答がなかった場合（ステップＳ４５“Ｎｏ”）、応答監視部１９４の更なるタイマ監視によりタイムアウトを検出するまで点灯制御を継続する（ステップＳ４６“Ｎｏ”、ステップＳ４４）。発光パターン制御部１９３は、応答有り（ステップＳ４５“Ｙｅｓ”）、もしくはタイムアウトの検出（ステップＳ４６“Ｙｅｓ”）を待って上記の一連の処理を終了する。
【００４２】
なお、上記した図６、図７フローチャートには図示省略されているが、発光パターン選択部１９５は、メイン表示部１６に発光パターンの種類を表示してユーザに選択入力を促し、操作部１２によるユーザの選択入力操作を待って、発光パターン制御部１９３に該当の発光パターンによるＬＥＤ１７１の点灯制御を指示する。
【００４３】
図８〜図９に、選択可能な発光パターンが示されている。図８はＥメール受信時の「ＥＭＡＩＬ」表示の発光パターン、図９は着信中の「ＣＡＬＬ」表示の選択可能な発光パターン、図１０はアラーム発生時の「ＢＥＬＬ」表示の選択可能に発光パターンである。
【００４４】
いずれも１１種類の発光パターンが用意され、発光パターン毎（パターン＃１〜＃１１）のＬＥＤ１７１（＃１〜＃８）のＯＮ／ＯＦＦが横方向に時系列で示されている（塗り潰している箇所がＯＮ）。
例えば、図８のＥＭＡＩＬ受信時の「ＥＭＡＩＬ」表示において、パターン＃１０は、図８（ａ）に示されるように、文字「Ｅ」、「Ｍ」、「Ａ」、「Ｉ」、「Ｌ」が１回だけ１文字ずつ順次発光表示するパターンであり、パターン＃１１は、図８（ｂ）に示されるように、５回、発光周期を変えて連続的に表示するパターンである。
また、図９の着信中の「ＣＡＬＬ」表示の選択可能な発光パターンにおいて、パターン＃６は、文字「Ｃ」「Ａ」「Ｌ」「Ｌ」の各発光パターンを順次変化させて繰り返し表示するパターンである。これらパターンはユーザにより選択可能である。
【００４５】
以上説明のように本発明の実施の形態に係る携帯端末装置によれば、制御部１９（制御手段）が、イベント発生を検知し、当該検知したイベントの種別によりハーフミラー内部に設けられた所定の文字パターンに発光するサブ表示部１７（文字発光手段）の発光パターンを点灯制御してイベントの報知を行うことにより、文字表示により誰の目にも報知内容を明らかにできる視認性の高いイベント報知を行うことができる。
また、発光パターンに動きを加えることにより多彩な発光パターンを提供でき、娯楽性のある飽きのこない報知形態の提供が可能である。
また、有機ＥＬに比べてＬＥＤの方が明るいため、発光輝度の向上を容易に実現でき、廉価構成の携帯端末装置であってもイベント報知が、よりユーザの目につきやすくでき、更に、ハーフミラーにより待受け時にシンプルな外観とすることも可能である。
【００４６】
なお、上記した本発明の実施形態に係る携帯端末装置によれば、携帯端末装置として携帯電話１のみ例示したが、同様の構成を有する、例えば、ＰＤＡ（Personal Digital Assistants）、や電子手帳、ゲーム機、あるいはノートＰＣ等に搭載される場合も同様に適用が可能である。
【００４７】
また、図１に示す制御部１９が有する機能は、全てをソフトウェアによって実現しても、あるいはその少なくとも一部をハードウェアで実現してもよい。例えば、イベント検知部１９１、イベント種別判定部１９２、発光パターン制御部１９３、応答監視部１９４、発光パターン選択部１９５におけるデータ処理は、１または複数のプログラムによりコンピュータ上で実現してもよく、また、その少なくとも一部をハードウェアで実現してもよい。
【図面の簡単な説明】
【００４８】
【図１】本発明の実施の形態に係る携帯端末装置の内部構成ブロック図である。
【図２】本発明の実施の形態に係る携帯端末装置の外観図である。
【図３】本発明の実施の形態に係る携帯端末装置の分解斜視図である。
【図４】図３に示す制御の内部構成を示したブロック図である。
【図５】図１に示す制御部の内部構成を機能展開して示したブロック図である。
【図６】本発明の実施の形態に係る携帯端末装置の待受け時の動作を示すフローチャートである。
【図７】図５に示すイベント種別判定処理の詳細手順を示すフローチャートである。
【図８】本発明の実施の形態に係る携帯端末装置で使用されるＥメール受信時の発光パターンの一例を示す図である。
【図９】本発明の実施の形態に係る携帯端末装置で使用される着信中の発光パターンの一例を示す図である。
【図１０】本発明の実施の形態に係る携帯端末装置で使用されるアラーム発生時の発光パターンの一例を示す図である。
【符号の説明】
【００４９】
１…携帯電話、１０…ハーフミラーパネル、１１…通信部、１２…操作部、１３…音声処理部、１４…スピーカ、１５…マイクロフォン、１６…メイン表示部、１７…サブ表示部、１８…記憶部、１９…制御部、４０…ＬＣＤフロントケース、５０…ヒンジ機構、１００…フレーム（有機ＥＬ）、１６０…ＬＣＤ基板、１７０…ＬＥＤ基板、１７１…ＬＥＤ（ＬＥＤ＃１〜ＬＥＤ＃８）、１７２…透過部材、１７３…筐体文字枠、１７４…ハーフミラー、１９１…イベント検知部、１９２…イベント種別判定部、１９３…発光パターン制御部、１９４…応答監視部、１９５…発光パターン選択部。
【図１】
0005214940.tif 000002
【図２】
0005214940.tif 000003
【図３】
0005214940.tif 000004
【図４】
0005214940.tif 000005
【図５】
0005214940.tif 000006
【図６】
0005214940.tif 000007
【図７】
0005214940.tif 000008
【図８】
0005214940.tif 000009
【図９】
0005214940.tif 000010
【図１０】
0005214940.tif 000011